(57)【要約】【課題】  過剰なサーバを確保せずに、安定したコンテンツ提供サービスを提供するコンテンツ提供システムを提供することにある。【解決手段】  コンテンツ配信管理装置１１０が配信するコンテンツに対して、サービス支援装置１２０は支援対象コンテンツ記憶部１２８を提供する。コンテンツ配信管理装置１１０は、サービス支援装置１２０から提供された支援対象コンテンツ記憶部１２８を利用して、コンテンツ提供サービスを提供する。コンテンツ配信管理装置１１０は、サービス支援装置１２０に対して、支援対象コンテンツ記憶部１２８の提供に応じたポイントを付与する。【選択図】  図１
2005084946.tif 000002
【特許請求の範囲】
【請求項１】
利用者の要求に応じてコンテンツを提供するコンテンツ配信管理装置と、該コンテンツ配信管理装置に接続され、該コンテンツの提供の支援を行うサービス支援装置とを含むコンテンツ提供システムにおいて、
前記コンテンツ配信管理装置は、
提供するコンテンツのオリジナルデータを記憶するマスターコンテンツ記憶手段と、
提供するコンテンツのコンテンツ管理情報を記憶するコンテンツ管理手段と、
該コンテンツ管理手段に記憶されたコンテンツ管理情報を公開するコンテンツ公開手段と、
該コンテンツ公開手段によって公開されたコンテンツ管理情報の中から選択されたコンテンツを前記マスターコンテンツ記憶手段から読み出し、該読み出されたコンテンツを、該コンテンツの格納先となるサービス支援装置に送信するコンテンツ転送手段とを備え、
前記サービス支援装置は、
前記コンテンツ配信管理装置から送信されたコンテンツ管理情報を表示するコンテンツ表示手段と、
該表示されたコンテンツ管理情報の中から選択されたコンテンツを記憶する支援対象コンテンツ記憶手段とを備えることを特徴とするコンテンツ提供システム。
【請求項２】
前記コンテンツ管理手段は、提供するコンテンツを識別するコンテンツ識別情報と、該コンテンツの提供を支援する支援者を識別する支援者識別情報と、前記サービス支援装置によって提供するコンテンツが格納される格納場所情報を対応付けて記憶することを特徴とする請求項１記載のコンテンツ提供システム。
【請求項３】
前記コンテンツ配信管理装置はさらに、前記サービス支援装置からコンテンツ提供の支援を受けた場合は、該サービス支援装置に対して、該支援に応じた特典を付与することを特徴とする請求項１記載のコンテンツ提供システム。
【請求項４】
前記コンテンツ配信管理装置は、サービス支援装置との通信速度、該サービス支援装置に対する利用者の評価をもとに、コンテンツ提供の支援を受けるサービス支援装置を選択することを特徴とする請求項１記載のコンテンツ提供システム。
【請求項５】
利用者の要求に応じてコンテンツを提供するコンテンツ配信管理装置と、該コンテンツ配信管理装置に接続され、該コンテンツの提供の支援を行うサービス支援装置とを含むコンテンツ提供システムにおけるコンテンツ提供方法であって、
前記コンテンツ配信管理装置は、
提供するコンテンツのコンテンツ管理情報を記憶し、
該記憶されたコンテンツ管理情報を公開し、
該公開されたコンテンツ管理情報の中から選択されたコンテンツを、該コンテンツの格納先となるサービス支援装置に送信し、
前記サービス支援装置は、
前記コンテンツ配信管理装置から送信されたコンテンツ管理情報を表示し、
該表示されたコンテンツ管理情報の中から選択されたコンテンツを記憶することを特徴とするコンテンツ提供方法。
【請求項６】
前記コンテンツ管理情報は、提供するコンテンツを識別するコンテンツ識別情報と、該コンテンツの提供を支援する支援者を識別する支援者識別情報と、前記サービス支援装置によって提供するコンテンツが格納される格納場所情報を含むことを特徴とする請求項５記載のコンテンツ提供方法。
【請求項７】
利用者の要求に応じてコンテンツを提供するコンテンツ提供システムにおいて実行されるコンピュータプログラムであって、
提供するコンテンツのコンテンツ管理情報を記憶するステップと、
該記憶されたコンテンツ管理情報を公開するステップと、
該公開されたコンテンツ管理情報の中から選択されたコンテンツを、該コンテンツの格納先となるサービス支援装置に送信するステップと、
前記コンテンツ管理情報を表示するステップと、
該表示されたコンテンツ管理情報の中から選択されたコンテンツを記憶するステップとを備えることを特徴とするコンテンツ提供方法。
【発明の詳細な説明】
【技術分野】
【０００１】
本発明は、情報の利用者からの要求に応じて、情報の供給元から提供されたコンテンツを提供するコンテンツ提供システムに関する。
【背景技術】
【０００２】
近年のネットワークの急速な普及に伴い、ネットワークを介して映像や画像、音声、ゲームソフトなどのコンテンツ（以下、これらをまとめてコンテンツと呼ぶ）を提供するサービス（以下、コンテンツ提供サービスと呼ぶ）が普及し始めている。また、一般家庭でもネットワークを常時利用できる環境が整ってきており、接続時間を気にせずに気軽に上記コンテンツ提供サービスを利用できるようになってきている。
【０００３】
このような背景の下、特定のコンテンツに対するアクセスが集中した場合でも、安定したサービスを提供することがサービスの提供者に求められている。こうした要望に応えるために、サービスを提供するサーバを多重化して複数のサーバのアクセス負荷を監視しておき、特定のサーバ上に保管されたコンテンツに対するアクセス負荷が高まった場合に、他の低負荷のサーバに該コンテンツを移動することで、低負荷のサーバにアクセス負荷を分散させる技術が開示されている（特許文献1参照）。
【０００４】
【特許文献１】特開2002-278823号公報
【発明の開示】
【発明が解決しようとする課題】
【０００５】
しかし、従来技術１を用いてコンテンツ提供サービスを提供するためには、アクセスの負荷を分散させるためのサーバを、予め用意しておく必要がある。特に、人気が高く、頻繁に利用されるコンテンツを提供しようとする場合には、予測されるアクセス負荷に耐えるために必要な台数のサーバを用意する必要がある。
【０００６】
一方、コンテンツの利用は時間の経過とともに変化し、一般的には次第に衰退していく傾向にある。すなわち、コンテンツ提供サービス開始時に用意したサーバは、コンテンツの人気の衰退に応じて、次第に過剰な設備になってしまうことになる。この結果、サービス開始当初に用意した大量のサーバの管理コストが割高になるという問題がある。
【０００７】
本発明の目的は、過剰なサーバを確保しなくても安定したコンテンツを提供するコンテンツ提供方法を提供することにある。
【課題を解決するための手段】
【０００８】
上記課題を解決するために本発明は、利用者の要求に応じてコンテンツを提供するコンテンツ提供システムにおいて、提供するコンテンツのコンテンツ管理情報の中から選択されたコンテンツを該コンテンツの格納先となるサービス支援装置に送信するコンテンツ配信管理装置と、コンテンツ配信管理装置から送信されたコンテンツを記憶し、該コンテンツの提供サービスを支援するするサービス支援装置を備える構成を採用した。
【発明の効果】
【０００９】
本発明によれば、過剰なサーバを確保しなくても安定したコンテンツ提供サービスを提供することができる。
【発明を実施するための最良の形態】
【００１０】
以下、本発明の一実施の形態について図面を用いて詳細に説明する。
【００１１】
図1は、コンテンツ提供システムのシステム構成を示す図であり、コンテンツ配信管理装置110、サービス支援装置120、コンテンツ受信装置130およびこれらを接続するネットワーク100により構成される。
【００１２】
コンテンツ配信管理装置110は、提供コンテンツ管理部111、提供コンテンツ公開部112、利用コンテンツ管理部113、アクセスキー発行部114、サービス支援受付部115、支援ポイント管理部116、コンテンツ転送部117、認証キー発行部118および提供するコンテンツのオリジナルデータを記憶するマスターコンテンツ記憶部119により構成される。
【００１３】
サービス支援装置120は、格納コンテンツ表示部121、格納コンテンツ受信部122、認証キー管理部123、利用認証部124、コンテンツ配信部125、支援ポイント送信要求部126、支援ポイント受信部127および支援対象コンテンツ記憶部128により構成される。
【００１４】
コンテンツ受信装置130は、コンテンツ出力部131、コンテンツ表示部１３２、利用者識別情報送信部133、アクセスキー管理部134およびコンテンツ受信部135により構成される。
【００１５】
なお、本実施例ではコンテンツ配信管理装置110内にマスターコンテンツ記憶部119を有する構成としたが、複数のコンテンツ配信管理装置に対して１つ有する構成であってもよいし、あるいは他の装置に接続された記憶装置をネットワークを介して利用する構成であってもよい。
【００１６】
また、本実施例ではサービス支援装置120とコンテンツ受信装置130を異なる構成としたが、同一の装置であっても構わない。
【００１７】
また、コンテンツ配信管理装置110とサービス支援装置120を異なる構成としたが、同一の装置であっても構わない。
【００１８】
図2は、図1に示した提供コンテンツ管理部111、利用コンテンツ管理部113および支援ポイント管理部116の具体的な構成例を示す。
【００１９】
まず、提供コンテンツ管理部111の構成について説明する。提供コンテンツ管理部111は、提供するコンテンツに付与された識別子（以下、コンテンツIDと呼ぶ）、サービス支援者に付与された識別子（以下、支援者IDと呼ぶ）、サービス支援者の提供する支援対象コンテンツが格納されている場所（以下、格納場所と呼ぶ）を管理する提供コンテンツ管理構造201と、コンテンツID、提供するコンテンツのタイトルやコンテンツの概要、利用ポイントなどを管理する提供コンテンツ管理構造201で構成される。
【００２０】
本図に示した例では、コンテンツID“C01”のコンテンツが、支援者ID“S01”の所有する格納場所“ftp://xxx.xxx.xxx/”に格納されるとともに、支援者ID“S02”の所有する格納場所“ftp://yyy.yyy.yyy/”に格納されていることを表す。また、コンテンツID“C02”のコンテンツが、支援者ID“S03”の所有する格納場所“http://zzz.zzz.zzz/”に格納されていることを表す。
【００２１】
また、提供コンテンツ管理構造202は、コンテンツID“C01”のタイトルは“○○○”であり、その概要が“○○主演アクションムービー”であり、利用ポイントが“200”であることを表している。また、コンテンツID“C02”のタイトルが“△△△”であり、その概要が“80年代懐かしのホラー”であり、利用ポイントが“50”であることを表している。
【００２２】
なお、本図に示した例では、提供コンテンツ管理構造201および提供コンテンツ管理構造202を異なる表形式で示したが、同一の表形式で管理されるものであっても構わないし、その他の構造をとるものであっても構わない。
【００２３】
また、提供コンテンツ管理構造201は、コンテンツID、支援者IDおよび格納場所を管理するものとしたが、これらに加えて、格納場所の容量や格納場所への通信速度なども管理する構成でもよい。
【００２４】
また、提供コンテンツ管理構造202は、コンテンツID、タイトル、概要および利用ポイントを管理するものとしたが、その他にもコンテンツ利用者による評価や、コンテンツ利用者による利用回数などの統計情報も格納する構成でもよい。
【００２５】
次に、利用コンテンツ管理部113の構成について説明する。利用コンテンツ管理部113は、コンテンツ利用者に付与された識別子（以下、利用者IDと呼ぶ）、コンテンツIDおよび該コンテンツ利用者に対して割り当てられたサービス支援者の支援者IDを管理する利用コンテンツ管理構造203で構成される。
【００２６】
本図に示した例では、利用者ID“U01”のコンテンツ利用者は、コンテンツID“C01”のコンテンツを利用するために支援者ID“S01”の所有する格納場所を利用していることを表す。また、利用者ID“U02”のコンテンツ利用者は、コンテンツID“C01”のコンテンツを利用するために支援者ID“S02”の所有する格納場所を利用していることを表わしている。
【００２７】
なお、本図に示した例では、利用コンテンツ管理構造203には、利用者ID、コンテンツIDおよび支援者IDのみが格納されるものとしたが、その他にも利用時の利用ポイントやコンテンツ利用者によるサービス支援者の評価なども格納される構成でもよい。
【００２８】
次に、支援ポイント管理部116の構成について説明する。支援ポイント管理部116は、コンテンツID、支援者IDおよびサービスを支援することによりサービス支援者に付与されたポイント（以下、支援ポイントと呼ぶ）を管理する支援ポイント管理構造204で構成される。本図に示した例では、コンテンツID“C01”を支援している支援者ID“S01”および“S02”に、それぞれ支援ポイント“200”が付与されていることを表わしている。
【００２９】
図3は、コンテンツ配信環境の準備手順を示す。コンテンツ配信環境の準備は、コンテンツ配信管理装置110の操作者（以下、コンテンツ配信管理者と呼ぶ）のサービス支援者募集操作と、サービス支援装置120の操作者（以下、サービス支援者と呼ぶ）の支援コンテンツ選択操作によって、それぞれコンテンツ配信管理装置110とサービス支援装置120が処理を実行する。
【００３０】
まず、コンテンツ配信管理装置110は、提供コンテンツ管理部111に格納されたマスターコンテンツの管理情報を、提供コンテンツ公開部112を介して、サービス支援装置120に対して送信する（ステップ301）。サービス支援装置120は、ステップ301で公開されたマスターコンテンツの管理情報を受信すると、格納コンテンツ表示部121は受信した管理情報を表示する。サービス支援者が、表示された管理情報の中からコンテンツを選択すると、サービス支援装置120は、選択されたコンテンツの種類（以下、支援対象コンテンツと呼ぶ）に関する情報をコンテンツ配信管理装置110に送信する（ステップ311）。
【００３１】
コンテンツ配信管理装置110は、サービス支援装置120から受信された支援対象コンテンツに関する情報を受信すると、コンテンツ転送部117は、支援対象コンテンツをサービス支援装置120へ送信する（ステップ302）。また、コンテンツ配信管理装置110において、ステップ302で送信した支援対象コンテンツを利用するための認証キーを認証キー発行部118が発行し、コンテンツ配信管理装置110は発行された認証キーをサービス支援装置120へ送信する（ステップ303）。
【００３２】
サービス支援装置120は、上記ステップ302において送信された支援対象コンテンツを、格納コンテンツ受信部122を介して受信し、支援対象コンテンツ記憶部128に格納するとともに、上記ステップ303で発行された認証キーを受信し、認証キー管理部123に格納する。
【００３３】
図4は、コンテンツ利用者に対するコンテンツの配信手順を示す。コンテンツの配信手順は、コンテンツ配信管理者のコンテンツ提供サービス操作、サービス支援者のサービス支援操作、およびコンテンツ受信装置130の操作者（以下、コンテンツ利用者と呼ぶ）のサービス利用操作によって、それぞれコンテンツ配信管理装置110、サービス支援装置120、およびコンテンツ受信装置130が処理を実行する。
【００３４】
まず、コンテンツ配信管理装置110は、提供コンテンツ管理部111に格納されたマスターコンテンツの管理情報（提供可能なコンテンツに関する情報）を、提供コンテンツ公開部112を介して、コンテンツ受信装置130に対して公開する（ステップ401）。コンテンツ受信装置130は、ステップ401で公開された提供可能なコンテンツに関する情報を受信すると、コンテンツ表示部132は、受信したコンテンツに関する情報を表示する。表示されたコンテンツに関する情報の中から、コンテンツ利用者によって提供コンテンツが選択されると（ステップ421）、コンテンツ受信装置130は、選択された提供コンテンツ情報をコンテンツ配信管理装置110に送信する。
【００３５】
次に、コンテンツ配信管理装置110は、上記ステップ421で選択された提供コンテンツを保持するサービス支援者の中から最適なサービス支援者を選択する（ステップ402）。ここで、最適なサービス支援者を選択する方法としては、選択された回数が少ないものを優先するものであってもよいし、サービス支援者の有するサービス支援装置１２０の通信速度により優先順位をつけるものであってもよいし、サービス利用者による評価に基づいて優先順位をつけるものであってもよい。次に、ステップ402で選択された最適なサービス支援者の保有する支援対象コンテンツに対するアクセスキーをアクセスキー発行部114が発行し、コンテンツ受信装置130に送信する（ステップ403）。
【００３６】
次に、コンテンツ配信管理装置110は、利用コンテンツ管理部113で管理されるコンテンツの利用記録を更新し（ステップ404）、さらに、ステップ402で選択されたサービス支援者の支援者IDに対応する支援ポイントであって、支援ポイント管理部116で管理される支援ポイントを更新する（ステップ405）。
【００３７】
一方、コンテンツ受信装置130は、ステップ403で発行されたアクセスキーを受信してアクセスキー管理部134に記録し（ステップ422）、受信したアクセスキーを用いて、サービス支援装置120に対してコンテンツのダウンロード要求を行なう（ステップ423）。
【００３８】
サービス支援装置120は、コンテンツのダウンロード要求を受けると、認証キー管理部123に格納されている認証キーと、コンテンツ利用者の保有するアクセスキーとを比較し、該コンテンツに対するアクセス権を照合する（ステップ411）。照合の結果、アクセス権があると判定された場合には、コンテンツ配信部125は、支援対象コンテンツ記憶部128に格納されているコンテンツを、コンテンツ受信装置130に配信する（ステップ412）。ステップ411でアクセス権がないと判定された場合には、アクセスを拒否するメッセージをコンテンツ受信装置130に送信する（ステップ４１３）。
【００３９】
ステップ411における照合の結果コンテンツ利用のアクセス権が認められると、コンテンツ受信装置130のコンテンツ受信部135は、ステップ412において配信されたコンテンツを受信する（ステップ424）。そして、コンテンツ出力部131は該コンテンツを出力する（ステップ425）。
【００４０】
なお、上記ステップ405で支援ポイントを更新する際には、前記ステップ403でアクセスキーを割り当てられたサービス支援者の支援ポイントだけを更新するものであってもよいし、当該コンテンツを支援する全サービス支援者の支援ポイントを均等に更新するものであってもよいし、サービス支援者の提供するサービス支援装置120の通信速度やサービス利用者による評価などに基づくサービス支援者の質により配分が変更されてもよい。
【００４１】
図5は、図4においてコンテンツ提供というサービスを支援したサービス支援者に対して、支援ポイントを払出す処理を示す。まず、サービス支援装置120が、図4のステップ412に示すコンテンツ送信によってサービス支援を行った場合、支援ポイント送信要求部126は、コンテンツ配信管理装置110に対して支援ポイントの送信要求を送信する（ステップ511）。コンテンツ配信管理装置110は、支援ポイントの送信要求を受信すると、支援ポイント管理部116に管理されている該サービス支援者IDに対応する支援ポイントを確認し、要求されたポイントをサービス支援装置120に送信する（ステップ501）。サービス支援装置120の支援ポイント受信部127は、送信された支援ポイントを受信する（ステップ512）。
【００４２】
なお、本実施形態は支援ポイントの詳細については言及しないが、サービス支援者にとってインセンティブの与えられるものであればよく、金銭的な価値を持つものであってもよいし、商品と交換できるものであってもよい。
【００４３】
また、本実施形態では、支援ポイントは払い出されるものとして説明したが、支援ポイントと対応する商品などが直接サービス支援者に送付されてもよい。
【００４４】
図６は、図３のステップ３０１でコンテンツ配信管理装置１１０がサービス支援装置１２０に送信し、ステップ３１１でサービス支援装置１２０の格納コンテンツ表示部１２１が表示する提供コンテンツの管理情報の具体例を示す。
【００４５】
格納コンテンツ表示部１２１は、支援者を募集するコンテンツのタイトル、概要、必要とする容量および該コンテンツに対するアクセス数等の一覧６１１を表示する（画面６０１）。サービス支援者は、画面６０１を参照することで、支援対象コンテンツ記憶部１２８の余剰容量に格納可能なコンテンツのうち、支援に見合うものを選択し、詳細情報を表示させる入力操作を行う。この操作に対応して、格納コンテンツ表示部１２１は、選択されたコンテンツの詳細情報として、タイトル６２１、概要６２２、必要容量６２３、最近のアクセス数６２５およびそのコンテンツに対する支援意思を通知するボタン（以下、支援通知ボタンと呼ぶ）６２４を表示する（画面６０２）。
【００４６】
サービス支援者は、表示された内容を確認した上で、支援通知ボタン６２４を押下する。サービス支援装置１２０は、支援通知ボタンの押下を検知すると、コンテンツ配信管理装置１１０に対して該コンテンツに対する支援通知を送信する。
【００４７】
なお、本図に示した例では、提供コンテンツの管理情報を画面６０１および画面６０２の2段階で表示されるものとしたが、画面６０１のみの構成であってもよいし、3段階以上の画面遷移をするものであっても構わない。
【００４８】
また、画面６０１には、最近のアクセス数を表示するものとしたが、サービス支援者にとって該コンテンツの価値を判断できるものであればよく、例えば著名人によるコメントが記載されるものであってもよいし、他のコンテンツ利用者による評価などが表示されるものであっても構わない。画面６０２についても同様であり、本図に示した例では、最近のアクセス数の変化を表わすグラフ６２５を表示するものとしたが、サービス支援者にとって該コンテンツの価値を判断できるものであればよい。
【００４９】
図７は、前記図４のステップ４０１でコンテンツ配信管理者により公開され、コンテンツ受信装置１３０のコンテンツ表示部１３２に表示される提供コンテンツの管理情報の具体例を示す。
【００５０】
コンテンツ表示部１３２は、コンテンツ利用者にとって利用可能なコンテンツのタイトル、概要、お薦め度、利用料などが掲載された利用可能コンテンツの一覧７２１を表示するとともに、任意のキーワード等を含むコンテンツを検索可能とするコンテンツ検索部７２２が表示される（画面７０１）。コンテンツ利用者は、画面７０１を参照することで、利用するコンテンツを選択し、詳細情報を表示させる入力操作を行う。この操作に対応して、コンテンツ表示部１３２は、選択された利用コンテンツに関する詳細情報として、タイトル７３１、概要７３２、プレビュー画面７３４および利用の決定を通知するボタン（以下、利用通知ボタンと呼ぶ）７３３を表示する（画面７０２）。
【００５１】
コンテンツ利用者は、画面７０２にて利用しようとするコンテンツの詳細を確認し、利用通知ボタン７３３を押下する。コンテンツ受信装置１３０は、利用通知ボタン７３３の押下を検知すると、コンテンツ配信管理装置１１０に対してコンテンツの利用通知を送信する。
【００５２】
なお、本図に示した例では、利用可能コンテンツの一覧７２１を新着コンテンツ７１１、お薦めのコンテンツ７１２、人気コンテンツ７１３などのようにジャンル別に画面を分けて表示しているが、他のジャンルがあっても良いし、あるいは１つの画面で表示されるものであってもよい。また、画面７０１内にコンテンツ検索部７２２が表示されるものとしたが、異なる画面で提供されてもよい。
【００５３】
また、本図に示した例では、コンテンツ検索部７２２には、検索する範囲を限定する範囲限定部７２３や、任意のキーワードを入力するキーワード入力部７２４および検索の開始を促す検索ボタン７２５を有するものとしたが、利用料などの範囲を限定するなどの他の情報を対象とした検索条件を入力できるものとしてもよい。
【００５４】
以上説明したように、本発明の一実施形態によれば、サービス支援者により提供された支援対象コンテンツ記憶部１２８を利用したコンテンツ提供サービスを提供することができるようになる。この結果、コンテンツ配信管理装置１１０は、マスターコンテンツを格納するための必要最小限の記憶部１１９を用意すればよく、過剰なサーバを確保しなくても安定したコンテンツ提供サービスを提供することができるようになる。
【００５５】
また、サービス支援者は、支援対象コンテンツ記憶部として所有する余剰の記憶部１２８を提供すればよいため、サービス支援を容易に開始することができる。
【図面の簡単な説明】
【００５６】
【図１】本発明の一実施形態であるコンテンツ提供サービスのシステム構成を示す図である。
【図２】提供コンテンツ管理部１１１、利用コンテンツ管理部１１３および支援ポイント管理部１１６の具体的な構成を示す図である。
【図３】コンテンツ配信環境の準備手順を示す図である。
【図４】コンテンツ利用者に対するコンテンツ配信手順を示す図である。
【図５】サービス支援者に対する支援ポイント払出処理手順を示す図である。
【図６】格納コンテンツ表示部１２１に表示される提供コンテンツの管理情報の具体例を示す図である。
【図７】コンテンツ表示部１３２に表示される提供コンテンツの管理情報の具体例を示す図である。
【符号の説明】
【００５７】
１１０…コンテンツ配信管理装置、１２０…サービス支援装置、１３０…コンテンツ受信装置、１１１…提供コンテンツ管理部、１１２…提供コンテンツ公開部、１１３…利用コンテンツ管理部、１１４…アクセスキー発行部、１１５…サービス支援受付部、１１６…支援ポイント管理部、１１７…コンテンツ転送部、１１８…認証キー発行部、１１９…マスターコンテンツ記憶部
【図１】
2005084946.tif 000003
【図２】
2005084946.tif 000004
【図３】
2005084946.tif 000005
【図４】
2005084946.tif 000006
【図５】
2005084946.tif 000007
【図６】
2005084946.tif 000008
【図７】
2005084946.tif 000009